(57)【要約】【課題】流し台上面部に温風を吹き出すノズルを固定設置しているため、乾燥できるものが制限され、また、熱源であるヒーターが吹出口から離れたところにあり、ダクトで温風を送風しているため、熱ロスが大きく吹出口温度が下がり乾燥時間の短縮化が図れないという課題があった。【解決手段】水切り乾燥する流し台１の上部に、空気を吹き出す吹出しノズル孔５を有し内部にヒーターユニット１６を設けたノズル部６と、前記ノズル部６を上部に固定するノズル係止部７と、吹出しノズル孔５から吹き出す空気を送出するファンモーター９を有する送風部１１と、前記送風部１１と前記ノズル部６を連通させる送風ダクト１２を設けた装置であって、前記ノズル部６を前記ノズル係止部７から脱着させ移動して使用することでき、シンク水切り乾燥などができる流し台組込み型水切り乾燥装置が得られる。【選択図】図１
2007289234.tif 000002
【特許請求の範囲】
【請求項１】
食材、食器および手を洗浄する流し台の上部に、空気を吹き出す吹出しノズル孔を有するノズル部と、前記ノズル部を流し台上部に固定するノズル係止部と、吹出しノズル孔から吹き出す空気を送出するファンモーターを有する送風部と、前記送風部と前記ノズル部を連通させる送風ダクトを設けた乾燥装置であって、前記ノズル部が前記ノズル係止部から着脱することを特徴とする流し台組込み型水切り乾燥装置。
【請求項２】
送風ダクトは、ノズル部をノズル係止部に固定する時に、流し台下の流し台内に収納できることを特徴とする請求項１記載の流し台組込み型水切り乾燥装置。
【請求項３】
ノズル部内に、空気を加熱して温風にするヒーターユニットを設けたことを特徴とする請求項１または２記載の流し台組込み型水切り乾燥装置。
【請求項４】
ヒーターユニットを、ＰＴＣヒーターとすることを特徴とした請求項３記載の流し台組込み型水切り乾燥装置。
【請求項５】
ノズル部に、乾燥装置の運転動作入り切りを行える運転操作部、ファンモーターの回転数を制御する風量操作部、およびヒーターユニットの発熱量を制御する温風操作部を設けたことを特徴とする請求項１〜４のいずれかに記載の流し台組込み型水切り乾燥装置。
【請求項６】
ノズル部が、ノズル係止部に固定時は人検知センサーによる検知時に動作する自動運転となることを特徴とする請求項１〜５のいずれかに記載の流し台組込み型水切り乾燥装置。
【請求項７】
ファンモーターの低速運転から始動することを特徴とする請求項６記載の流し台組込み型水切り乾燥装置。
【請求項８】
人検知センサーによる検知が無検知になった時に一定時間運転後に停止することを特徴とする請求項６または７記載の流し台組込み型水切り乾燥装置。
【請求項９】
ノズル部がノズル係止部に固定された時、ファンモーターの回転数制御を足元にて行える足元風量操作部を設けたことを特徴とする請求項１〜８のいずれかに記載の流し台組込み型水切り乾燥装置。
【請求項１０】
送風部とノズル部間に空気の塵を除去する清浄フィルタを設けたことを特徴とする請求項１〜９のいずれかに記載の流し台組込み型水切り乾燥装置。
【請求項１１】
ノズル部のノズル吹出し部を、用途に合わせて取り替えられることを特徴とする請求項１〜１０のいずれかに記載の流し台組込み型水切り乾燥装置。
【請求項１２】
ノズル部内に水検知センサーを設け、水検知センサー検知時ヒーターユニット、ファンモーターへの通電を停止することを特徴とする請求項１〜１１のいずれかに記載の流し台組込み型水切り乾燥装置。
【請求項１３】
ノズル部内の吹出しノズル孔とヒーターユニットの間にアース帯を設け、機器電源側に漏電ブレーカーを設けたことを特徴とする請求項１〜１２のいずれかに記載の流し台組込み型水切り乾燥装置。
【発明の詳細な説明】
【技術分野】
【０００１】
本発明は、食材、食器および手などを水洗い後、付着した水滴を水切りさせる流し台組込み型水切り乾燥装置に関する。
【背景技術】
【０００２】
従来、この種の流し台組込み型水切り乾燥装置としては、水栓部に吹出し口を設け、吹出し口と送風機と電熱ヒーターを備えたエアータオルと風案内管で連結したものが知られている。
【０００３】
図１３に基づいてその具体例を説明する。
【０００４】
図１３に示すように、エアータオル１０３は電熱ヒーター１０１と送風機１０２を備えたものであり、連結管１０４で連結された吹出し口１０５を備えている。前記吹出し口１０５は水栓１０６の吐水管の吐水口１０７が位置する側で吐水口１０７近傍に設けられ、また、赤外線センサー１０８も吐水口１０７と同じ側に設けられている。止水後に赤外線センサー１０８に手を近づけると感知して、エアータオル１０３の電熱ヒーター１０１と送風機１０２が作動し、空気を連結管１０４を通じて吹出し口１０５へと送るようになっている。
【特許文献１】特許第３４５１０４６号公報
【発明の開示】
【発明が解決しようとする課題】
【０００５】
このような従来の流し台組込み型水切り乾燥装置では、水栓部に風を吹き出す吹出し口を固定設置するため、水切りや乾燥させるものが制約される課題があり、吹出し口固定による制限のない使用性が向上されたものが要求されている。
【０００６】
また、熱源であるヒーターが吹出口から離れたところにあり、連結管で温風を送風しているため、送風途中で長い待機時間があり、熱ロスが大きく吹出口温度が下がり乾燥時間の短縮化が図れなくなるが、それを解決するために、ヒーターの容量を大きくすると途中の熱ロスをカバーできるが、ヒーターのエネルギーの有効利用からみると好ましくないという課題があり、乾燥開始と同時に温風が吹き出し、エネルギーロスの少なくすることが要求されている。
【０００７】
本発明は、このような従来の課題を解決するものであり、吹出し口を移動することができ、また、乾燥開始と同時に温風を吹き出し、エネルギーロスの少ない乾燥をすることができる流し台組込み型水切り乾燥装置を提供することを目的としている。
【課題を解決するための手段】
【０００８】
本発明の流し台組込み型水切り乾燥装置は上記目的を達成するために、食材、食器および手を洗浄する流し台の上部に、空気を吹き出す吹出しノズル孔を有するノズル部と、前記ノズル部を流し台上部に固定するノズル係止部と、吹出しノズル孔から吹き出す空気を送出するファンモーターを有する送風部と、前記送風部と前記ノズル部を連通させる送風ダクトを設けた乾燥装置であって、前記ノズル部が前記ノズル係止部から着脱するようにしたものである。
【０００９】
この手段により、ノズル部を流し台上部固定時は食器などの水切りや手乾燥ができ、ノズル部を移動して使用することで吹出し口固定による制限がない使用性が向上された流し台組込み型水切り乾燥装置が得られる。
【００１０】
また、送風ダクトは、ノズル部をノズル係止部に固定する時に、流し台下の流し台内に収納できるようにしたものである。
【００１１】
この手段により、ノズル部を移動して使用した後の洗面台上面部へのノズル部の固定が容易にでき、吹出し口固定による制限がない使用性が向上された流し台組込み型水切り乾燥装置が得られる。
【００１２】
また、ノズル部内に、空気を加熱して温風にするヒーターユニットを設けるようにしたものである。
【００１３】
この手段により、送風ダクトでの熱ロスがなくすことができ、乾燥開始と同時に温風を吹き出し、エネルギーロスの少ない乾燥をすることのできる流し台組込み型水切り乾燥装置が得られる。
【００１４】
また、ヒーターユニットをＰＴＣヒーターとするようにしたものである。
【００１５】
この手段により、ヒーター部の熱暴走を抑えることができ、乾燥開始と同時に温風を吹き出し、エネルギーロスの少ない乾燥をすることのできるより安全な流し台組込み型水切り乾燥装置が得られる。
【００１６】
また、ノズル部に、乾燥装置の運転動作入り切りを行える運転操作部、ファンモーターの回転数を制御する風量操作部、およびヒーターユニットの発熱量を制御する温風操作部を設けるようにしたものである。
【００１７】
この手段により、ノズル部を移動して使用するときに手元で任意に運転入り切りができ、吹出し口固定による制限がない使用性が向上された流し台組込み型水切り乾燥装置が得られる。
【００１８】
また、ノズル部が、ノズル係止部に固定時は人検知センサーによる検知時に動作する自動運転となるようにしたものである。
【００１９】
この手段により、乾燥時の非接触式自動運転が行え、エネルギーロスの少ない乾燥をすることのできる流し台組込み型水切り乾燥装置が得られる。
【００２０】
また、ノズル部がノズル係止部固定で人検知センサーによる検知時に動作する自動運転で、ファンモーターの低速運転から始動するようにしたものである。
【００２１】
この手段により、誤って装置を動作させた場合、吹出しノズル孔からの空気による水はねなどを低減することができ、エネルギーロスの少ない乾燥をすることのできる流し台組込み型水切り乾燥装置が得られる。
【００２２】
また、人検知センサーによる検知が無検知になった時に一定時間運転後に停止するようにしたものである。
【００２３】
この手段により、人検知センサー検知範囲外に手などが外れる毎に運転停止をしないようにでき、エネルギーロスの少ない乾燥をすることのできる流し台組込み型水切り乾燥装置が得られる。
【００２４】
また、ノズル部がノズル係止部に固定された時、ファンモーターの回転数制御を足元にて行える足元風量操作部を設けるようにしたものである。
【００２５】
この手段により、任意の風速で水切り乾燥が行うことができ、エネルギーロスの少ない乾燥をすることのできる流し台組込み型水切り乾燥装置が得られる。
【００２６】
また、送風部とノズル部間に空気の塵を除去する清浄フィルタを設けるようにしたものである。
【００２７】
この手段により、吸い込み空気の塵およびファンモーター駆動で発生する塵を除去した空気で水切りや乾燥を行うことができる吹出し口固定による制限がない使用性が向上された流し台組込み型水切り乾燥装置が得られる。
【００２８】
また、ノズル部のノズル吹出し部を、用途に合わせて取り替えられるようにしたものである。
【００２９】
この手段により、水切りや乾燥対象物に合ったノズル吹出し部に取り替えることができ、吹出し口固定による制限がない使用性が向上された流し台組込み型水切り乾燥装置が得られる。
【００３０】
また、ノズル部内に水検知センサーを設け、水検知センサー検知時ヒーターユニット、ファンモーターへの通電を停止するようにしたものである。
【００３１】
この手段により、吹出しノズル孔から侵入した水滴による漏電を防ぐことができ、吹出し口固定による制限がない使用性が向上された、より安全な流し台組込み型水切り乾燥装置が得られる。
【００３２】
また、ノズル部内の吹出しノズル孔とヒーターユニットの間にアース帯を設け、機器電源側に漏電ブレーカーを設けるようにしたものである。
【００３３】
この手段により、ノズル部の水没などによる漏電状態を検知し漏電電流を確実にアースに流し機器の通電停止をすることができ、吹出し口固定による制限がなく使用性が向上された、より安全な流し台組込み型水切り乾燥装置が得られる。
【発明の効果】
【００３４】
本発明によれば、ヒーターユニットをノズル部に設け水切り乾燥運転後すぐに温風が吹き出す構造で、省エネルギーでかつ乾燥時間の短い乾燥装置を提供すると共に、ノズル部を脱着して使用できる構造により、吹出し口固定による制限がなく流し台の水切りなどの使用性が向上する効果のある流し台組込み型水切り乾燥装置を提供できる。
【００３５】
また、本発明によれば、ノズル部に運転、風量、温風の操作部および、足元にて風量操作が行える足元風量操作部を配置する構造により、使用性の向上した効果のある流し台組込み型水切り乾燥装置を提供できる。
【００３６】
また、本発明によれば、ノズル部が脱着することにより、ノズル部をシンク内の水の中に落としたりしても、水検知によるヒーターユニットとモーターへの通電停止、漏電ブレーカーと漏電電流をバイパスするアース帯の構造により、安全性を向上した効果のある流し台組込み型水切り乾燥装置を提供できる。
【発明を実施するための最良の形態】
【００３７】
本発明の請求項１記載の流し台組込み型水切り乾燥装置は、食材、食器および手を洗浄する流し台の上部に、空気を吹き出す吹出しノズル孔を有するノズル部と、前記ノズル部を流し台上部に固定するノズル係止部と、吹出しノズル孔から吹き出す空気を送出するファンモーターを有する送風部と、前記送風部と前記ノズル部を連通させる送風ダクトを設けた乾燥装置であって、前記ノズル部が前記ノズル係止部から着脱することを特徴としたものであり、流し台上部のノズル係止部に固定することにより手乾燥や食器などの水切りが行え、流し台の上部からノズル部を脱着して使用することにより流し台の水切りなどが行える流し台組込み型水切り乾燥装置という作用を有する。
【００３８】
また、本発明の請求項２記載の流し台組込み型水切り乾燥装置は、送風ダクトはノズル部をノズル係止部に固定する時に、流し台下の流し台内に収納できることを特徴としたものであり、ノズル部を流し台上部の係止部に装着時、送風ダクトが流し台内に収納する構造となっており、送風ダクトを収納、格納する手間がなくノズル部を流し台上部の係止部に装着することができる。
【００３９】
また、本発明の請求項３記載の流し台組込み型水切り乾燥装置は、ノズル部内に空気を加熱して温風にするヒーターユニットを設けたことを特徴としたものであり、吹出しノズル孔近傍にヒーターユニットが配置されているため、運転と同時に吹出しノズル孔から温風を吹き出しすることが可能となり、手乾燥時などの初期冷風の不快感低減をし、更に水滴の蒸発を運転初期から温風により促進して乾燥時間の短縮を図ることができる。
【００４０】
また、本発明の請求項４記載の流し台組込み型水切り乾燥装置は、ヒーターユニットをＰＴＣヒーターとすることを特徴としたものであり、送風ダクトとノズル部が外れるなどでヒーターユニットに送風が停止された場合においてもＰＴＣヒーターがある一定以上の温度には上がりにくい特性で加熱暴走がないヒーターであるため、ノズル外郭が高温になることを抑制することができる。
【００４１】
また、本発明の請求項５記載の流し台組込み型水切り乾燥装置は、ノズル部に乾燥装置の運転動作入り切りを行える運転操作部、ファンモーターの回転数を制御する風量操作部、およびヒーターユニットの発熱量を制御する温風操作部を設けたことを特徴としたものであり、ノズル部を手持ちで流し台の水切りなどを行う場合に手元のノズル部で運転の強弱とヒーターの入り切りなどの運転操作を水切り乾燥の対象物に合わせて適時設定することができる。
【００４２】
また、本発明の請求項６記載の流し台組込み型水切り乾燥装置は、ノズル部がノズル係止部に固定時は人検知センサーによる検知時に動作する自動運転となることを特徴としたものであり、ノズル部を流し台上部の係止部に装着した場合は人検知センサーによる検知時に動作する自動運転状態に自動的に切り替えることができる。
【００４３】
また、本発明の請求項７記載の流し台組込み型水切り乾燥装置は、ノズル部がノズル係止部に固定で人検知センサーによる検知時に動作する自動運転で、ファンモーターの低速運転から始動することを特徴としたものであり、人検知センサーの範囲内に誤って手や物を入れ装置を動作させた場合に吹出しノズル孔からの不意の吹出した空気により流し台の食器などが煽られて落とすということが低減できる。
【００４４】
また、本発明の請求項８記載の流し台組込み型水切り乾燥装置は、人検知センサーによる検知が無検知になった時に一定時間運転後に停止することを特徴としたものであり、水切り乾燥作業の動作中に人検知センサーの検知外に手や物が一時的に移動した場合に運転を継続し、水切り乾燥作業などが短時間でストレスなく行うことができる。
【００４５】
また、本発明の請求項９記載の流し台組込み型水切り乾燥装置は、ノズル部がノズル係止部に固定された時、ファンモーターの回転数制御を足元にて行える足元風量操作部を設けたことを特徴としたものであり、ノズル部を流し台上部の係止部に装着時に水切り乾燥作業を両手で行え、かつ水切り乾燥の作業に合わせて適時任意の風量で水切り乾燥することができる。
【００４６】
また、本発明の請求項１０記載の流し台組込み型水切り乾燥装置は、送風部とノズル部間に空気の塵を除去する清浄フィルタを設けたことを特徴としたものであり、吸い込み空気の塵およびファンモーター駆動で発生する塵を除去した空気を吹出しノズル孔から吹出せ、水切り乾燥対象物への塵付着を抑制することができる。
【００４７】
また、本発明の請求項１１記載の流し台組込み型水切り乾燥装置は、ノズル部のノズル吹出し部を用途に合わせて取り替えられることを特徴としたものであり、水切り乾燥の対象物に合わせて吹出しノズル孔の形状をかえたノズル吹出し部に取り替えることができる。
【００４８】
また、本発明の請求項１２記載の流し台組込み型水切り乾燥装置は、ノズル部内に水検知センサーを設け、水検知センサー検知時前記ヒーターユニット、前記ファンモーターへの通電を停止することを特徴としたものであり、水滴などが吹出しノズル孔から侵入した場合にヒーターユニットとモーターユニットの通電を停止させ、安全性を向上することができる。
【００４９】
また、本発明の請求項１３記載の流し台組込み型水切り乾燥装置は、ノズル部内の吹出しノズル孔と前記ヒーターユニットの間にアース帯を設け、機器電源側に漏電ブレーカーを設けたことを特徴としたものであり、水滴などが吹出しノズル孔から侵入した場合やノズル部が水没した場合に、アース帯を介した漏電電流により漏電ブレーカーを動作させると共に、漏電電流を確実にアース帯を介してアースに流すことができ安全性を向上することができる。
【００５０】
以下、本発明の実施の形態について図面を参照しながら説明する。
【００５１】
（実施の形態１）
図１に示すように、床面に置かれた箱状の流し台１外装の上部には、洗いスペース２を有し底面に水を排水する排水口３を有するシンク４を設け、シンク４の奥上部には、空気を吹き出す吹出しノズル孔５を有するノズル部６を固定するノズル係止部７を備え、ノズル係止部７にてノズル部６はシンク４の奥上部に固定されている。ノズル部６の外装面には人検知センサー８が配置されている。流し台１内の底面には、高速風を発生させるファンモーター９とファンモーター９の吹き出し側に塵を除去する清浄フィルタ１０を有する送風部１１を設けている。送風部１１と、シンク４の奥上部に設置したノズル部６との間は、送風ダクト１２で接続している。送風ダクト１２には、ダクト収納ウエイト１３が取り付けてある。
【００５２】
図２は、ノズル部６の断面図である。ノズル部６外郭は、下部に突出した筒状の送風ダクト接続部１４と空気を吹き出す吹出しノズル孔５を有し、ノズル部６内部は、送風ダクト接続部１４と吹出しノズル孔５間にノズル風路１５があり、ノズル風路１５には、ヒーターユニット１６が空気の流れ方向に対して直角に設けられている。
【００５３】
また、ヒーターユニット１６は、ＰＴＣヒーターを使用したものである。
【００５４】
上記構成により、手洗い後の手乾燥や食器などの水切り時にノズル部６はシンク４の奥上部のノズル係止部７に固定した状態で使用することができる。ノズル部６の前方に手や物を差し出すと、人検知センサー８が検知して吹出しノズル孔５から自動的に高速温風が吹き出し、手や物に付着した水滴を吹き飛ばし、濡れた手や物を温風で乾燥させる。
【００５５】
このとき、高速風で吹き飛ばされた水滴は、シンク４に受けられて排水口３から外部に排水される。
【００５６】
また、流し台の水切りを行う場合、図３に示すように、ノズル部６をノズル係止部７から脱着して使用する。ノズル部６をノズル係止部７の上方に持ち上げ、ノズル部６を手持ちし、水切りさせたい部分にノズル部６を近づけることにより、人検知センサー８が検知して吹出しノズル孔５から自動的に高速温風が吹き出し、流し台１を高速温風で水切り乾燥させる。
【００５７】
また、ダクト収納ウエイト１３により送風ダクト１２は流し台１内へ容易に入っていくため、ノズル部６をノズル係止部７に収納することが容易に行うことができる。また、このダクト収納ウエイト１３は、ノズル部６を引っ張り出しすぎた場合に流し台１内の上部に当たりストッパーの役割を担い、送風ダクト１２を接続している送風部１１に負担をかけないようになっている。
【００５８】
また、高速温風は、送風部１１内のファンモーター９で清浄フィルタ１０と送風ダクト１２を経由してノズル部６に塵が除去された空気が送風され、送風された空気がノズル部６内のヒーターユニット１６を通過することで暖められ、吹出しノズル孔５から高速温風として吹き出される。ヒーターユニット１６には、発熱体であるニクロム線ヒーターやセラミックヒーターやＰＴＣヒーターなどを使用できるが、低温時には低抵抗で発熱量が多く、高温時には高抵抗で発熱量を低減するＰＴＣヒーターをヒーターユニット１６に使用することにより、ノズル部６または送風部１１と送風ダクト１２が外れるなどでヒーターユニット１６に送風が停止された場合に、ノズル部６外郭が高温になることを抑制して、使用者に不安感をなくすことができる。
【００５９】
（実施の形態２）
図４は、同装置のノズル部６の正面図（ａ）と側面断面図（ｂ）であり、実施の形態２は実施の形態１に対して図４に示すように、ノズル部６の手持ち部分に同装置の運転動作入り切りを行える非保持型スイッチの運転操作部１７を設け、ノズル部６の手持ち部分の前方側にファンモーター９の回転数を調整する風量操作部１８および、ヒーターユニット１６の発熱量を調整する温風操作部１９を設け、ノズル係止部７にノズル部６を固定したことを示すノズル固定スイッチ２０をノズル係止部７に面するノズル部６に設けたものである。
【００６０】
これにより、ノズル部６を手持ちで使用する場合に、手元で非保持型スイッチの運転操作部１７で運転の入り切りとお好みの風量、温風の調整を風量操作部１８と温風操作部１９で行うことができる。熱を加えたくない食材の水切りでは、温風操作部１９でヒーターユニット１６に通電されない最小設定により送風で水切り作業が行える。また、水はねが予想される水切りでは、風量操作部１８でファンモーター９の回転数を下げることで低速の吹き出し空気で水はねなく水切りを行うことができる。
【００６１】
なお、運転操作部１７を風量操作部１８と兼用させ、運転操作部１７をなくし操作を簡便にすることもできる。風量操作部１８の操作量により、機器の停止、ファンモーター９の低速回転から高速回転まで制御する。風量操作部１８を触れていない時は機器の停止時とし、ファンモーター９とヒーターユニット１６には通電しない。ヒーターユニット１６には、風量操作部１８でファンモーター９が回転する操作時にヒーターユニット１６に通電し温風操作部１９により能力操作が行える構成として、無風状態でヒーターユニット１６に通電されヒーターユニット１６が異常発熱しないようにする。風量操作部１８が運転操作部１７を兼用させた時のノズル部６の図を図５に示す。
【００６２】
また、ノズル係止部７にノズル部６を固定するとノズル固定スイッチ２０が押されＯＮする。これにより、図６に示すように、運転操作部１７、ノズル固定スイッチ２０および人検知センサー８をもって、機器の動作を決定させることができ、ノズル部６をノズル係止部７に固定した場合、自動的に人検知センサー８で検知時に機器が動作するモードになり、ノズル部６を手持ちにした場合、運転操作部１７の入り切りにより機器が動作するモードに切り替えることができる。
【００６３】
また、ノズル部６をノズル係止部７に固定し自動的に人検知センサー８で検知時に機器が動作するモードでは、ファンモーター９の始動時、回転数を低速回転から一定時間運転する制御を行い、人検知センサー８の範囲内に誤って手や物を入れて動作させた場合に吹出しノズル孔５からの不意の強送風により食器などを流し台にあて破損することがなくなる。機器の運転時に人検知センサー８が無検知になった場合に一定時間後にファンモーター９停止する制御を行い、水切り乾燥作業中に人検知センサー８の検知外に手や物が一時的に移動した場合も機器は継続運転させることができ、意図しない急な機器の運転を低減し不快感のない操作をすることができる。
【００６４】
また、図７に示すように、流し台１の足元側に機器の運転や停止とファンモーター９の回転数制御を足元にて行える足元風量運転操作部２１を備えることで、ノズル部６をノズル係止部７に固定し自動的に人検知センサー８で検知時に機器が動作するモード時、足元風量運転操作部２１の制御を制御優先させることで、足による操作で機器の運転と停止と風量調節が行え、両手を使用しての食材や食器の水切り乾燥を作業に合わせて適時任意の風量で水切り乾燥することができる。
【００６５】
（実施の形態３）
図８は同装置のノズル部６の側面図である。実施の形態３は実施の形態２に対して図８に示すように、ノズル部６が吹出しノズル孔５側のノズル吹出し部２２とヒーターユニット１６や人検知センサー８などのあるノズル本体部２３と分離できるものである。
【００６６】
これにより、吹出しノズル孔５形状の異なるノズル吹出し部２２に取り替えることができ、食材の水切りとして丸孔を多数有したシャワー形状のノズル吹出し部２４（図９）、まな板などの水切り面が広く均一に水切りする場合に横長スリット孔のノズル吹出し部２５（図１０）などのように水切り乾燥の用途に合わせて吹出しノズル孔を変更することができる。また、開口が狭く奥行きのある瓶や水筒などの水切り用にノズル吹出しを細長くしたノズル吹出し部２６（図１１）も取替え接続し使用することができる。
【００６７】
（実施の形態４）
図１２は同装置のノズル部６の断面図である。実施の形態４は実施の形態１に対して図１２に示すように、ノズル部６内のヒーターユニット１６と吹出しノズル孔５間の下側に水検知センサー２７を設け、ノズル部６内のヒーターユニット１６と吹出しノズル孔５間に導電性のアース帯２８を設け、アース帯２８は、同機器の電源側に設けた漏電ブレーカー（図示せず）アース側に電気的に接続したものである。図１２のアース帯は、導電性のある網状物で、空気を流すことができかつ、ノズル吹出し部２２を取り外した時も誤ってヒーターユニット１６に手が触れないように保護するものである。
【００６８】
これにより、吹出しノズル孔５から水滴が侵入し水検知センサー２７にて検知すると、同機器のヒーターユニット１６とファンモーター９への通電を停止させることができる。
【００６９】
また、誤ってノズル部６を水の溜まったシンク４につけて吹出しノズル孔５から多量の水が浸入するとヒーターユニット１６などの充電部とアース帯２８が水により導通し、アース帯を介した漏電電流により漏電ブレーカーが動作し同機器の電源を遮断と共に、漏電電流を確実にアース帯を介してアースに流すことができる。
【産業上の利用可能性】
【００７０】
本発明の流し台組込み型水切り乾燥装置は、一般家庭用や小売業の青果や鮮魚調理場用においても利用可能である。
【図面の簡単な説明】
【００７１】
【図１】本発明の実施の形態１の流し台組込み型水切り乾燥装置の側面断面図
【図２】同流し台組込み型水切り乾燥装置のノズル部を示す図  （（ａ）側面断面図、（ｂ）正面図）
【図３】同流し台組込み型水切り乾燥装置の流し台に組み込んだ流し台組込み型水切り乾燥装置の側面縦断面図（ノズル部脱着時）
【図４】本発明の実施の形態２の流し台組込み型水切り乾燥装置のノズル部を示す図  （（ａ）正面図、（ｂ）側面断面図）
【図５】同流し台組込み型水切り乾燥装置のノズル部を示す図  （（ａ）正面図、（ｂ）側面断面図）
【図６】各操作部ＯＮ・ＯＦＦと機器動作一覧を示す図
【図７】同流し台組込み型水切り乾燥装置の側面断面図（足元風量運転操作部）
【図８】本発明の実施の形態３の流し台組込み型水切り乾燥装置のノズル部を示す側面断面図
【図９】同流し台組込み型水切り乾燥装置のノズル吹出し部の別形態を示す図  （（ａ）側面断面図、（ｂ）正面図）
【図１０】同流し台組込み型水切り乾燥装置のノズル吹出し部の別形態を示す図  （（ａ）側面断面図、（ｂ）正面図）
【図１１】同流し台組込み型水切り乾燥装置のノズル吹出し部の別形態を示す図  （（ａ）側面断面図、（ｂ）正面図）
【図１２】本発明の実施の形態４の流し台組込み型水切り乾燥装置のノズル部の側面断面図（水検知センサーとアース帯）
【図１３】従来の流し台組込み型水切り乾燥装置の斜視図
【符号の説明】
【００７２】
１    流し台
５    吹出しノズル孔
６    ノズル部
７    ノズル係止部
８    人検知センサー
９    ファンモーター
１０  清浄フィルタ
１１  送風部
１２  送風ダクト
１６  ヒーターユニット
１７  運転操作部
１８  風量操作部
１９  温風操作部
２１  足元風量運転操作部
２２  ノズル吹出し部
２４  ノズル吹出し部
２５  ノズル吹出し部
２６  ノズル吹出し部
２７  水検知センサー
２８  アース帯
【図１】
2007289234.tif 000003
【図２】
2007289234.tif 000004
【図３】
2007289234.tif 000005
【図４】
2007289234.tif 000006
【図５】
2007289234.tif 000007
【図６】
2007289234.tif 000008
【図７】
2007289234.tif 000009
【図８】
2007289234.tif 000010
【図９】
2007289234.tif 000011
【図１０】
2007289234.tif 000012
【図１１】
2007289234.tif 000013
【図１２】
2007289234.tif 000014
【図１３】
2007289234.tif 000015